(57)【要約】【課題】塗布ブラシの毛の毛倒れ部分を修復することが可能な画像形成装置を提供する。【解決手段】回転する感光体ドラム１４１３と、潤滑剤１８３と、感光体ドラム１４１３および潤滑剤１８３に接触しながら回転し潤滑剤１８３を掻き取って感光体ドラム１４１３に塗布する塗布ブラシ１８１と、塗布ブラシ１８１に接触して回転する起毛部材１８２と、感光体ドラム１４１３の回転開始前に、感光体ドラム１４１３の回転停止状態で感光体ドラム１４１３に接触していた塗布ブラシ１８１の毛の一部１９０を、感光体ドラム１４１３との非接触位置に移動させ、起毛部材１８２を回転させることによって当該非接触位置に移動された塗布ブラシ１８１の毛の一部１９０に起毛部材１８２を接触させる制御部２００とを備える。【選択図】図３
2013182255.tif 000002
【特許請求の範囲】
【請求項１】
回転する像担持体と、
潤滑剤と、
前記像担持体および前記潤滑剤に接触しながら回転し、前記潤滑剤を掻き取って前記像担持体に塗布する塗布ブラシと、
前記塗布ブラシに接触して回転する起毛部材と、
前記像担持体の回転開始前に、前記像担持体の回転停止状態で当該像担持体に接触していた前記塗布ブラシの変形部位を、当該像担持体との非接触位置に回転させ、前記起毛部材を回転させることによって当該非接触位置に移動された前記塗布ブラシの変形部位に前記起毛部材を接触させる制御部と、
を備える画像形成装置。
【請求項２】
前記制御部は、非画像形成時に、前記塗布ブラシの変形部位を回転させた後、前記起毛部材を回転させる請求項１に記載の画像形成装置。
【請求項３】
前記制御部は、前記画像形成装置の休止時間が所定時間以上に達した場合、前記塗布ブラシの変形部位を回転させた後、前記起毛部材を回転させる請求項２に記載の画像形成装置。
【請求項４】
前記制御部は、前記画像形成装置の温湿度環境に応じた回転時間の間、前記起毛部材を回転させる請求項３に記載の画像形成装置。
【請求項５】
前記制御部は、前記画像形成装置の温湿度環境に応じた線速度で所定時間の間、前記起毛部材を回転させる請求項３に記載の画像形成装置。
【請求項６】
前記制御部は、前記休止時間に応じた回転時間の間、前記起毛部材を回転させる請求項３に記載の画像形成装置。
【請求項７】
前記制御部は、前記休止時間に応じた線速度で所定時間の間、前記起毛部材を回転させる請求項３に記載の画像形成装置。
【請求項８】
前記起毛部材は、当該起毛部材が回転する場合にのみ前記塗布ブラシと接触するように構成されている請求項１〜７の何れか１項に記載の画像形成装置。
【請求項９】
前記起毛部材は、前記塗布ブラシに接触する接触部位と接触しない非接触部位とを有し、
前記制御部は、前記塗布ブラシの変形部に起毛を施す際に、前記起毛部材の接触部位を前記塗布ブラシの変形部に接触させる請求項８に記載の画像形成装置。
【請求項１０】
前記起毛部材は、ローラ状のブラシである請求項１〜７の何れか１項に記載の画像形成装置。
【請求項１１】
前記起毛部材は、金属ローラである請求項１〜７の何れか１項に記載の画像形成装置。
【請求項１２】
前記起毛部材は、羽部材である請求項１〜７の何れか１項に記載の画像形成装置。
【請求項１３】
前記制御部は、前記起毛部材を回転させている間、前記塗布ブラシの回転を停止する請求項１〜１２の何れか１項に記載の画像形成装置。
【発明の詳細な説明】
【技術分野】
【０００１】
本発明は、画像形成装置に関する。
【背景技術】
【０００２】
従来、電子写真方式の画像形成装置において、像担持体に潤滑剤を塗布する潤滑剤塗布装置を設けている。これによって、像担持体の摩擦係数を低減し、像担持体および像担持体清掃部に設けられたクリーニングブレードの長寿命化を図っている。このような潤滑剤塗布装置としては、回転する塗布ブラシローラーを、潤滑剤と像担持体との両方に接触させるように配置したものが知られている。例えば、潤滑剤をバネ等の押圧手段により塗布ブラシローラーに押圧させ、塗布ブラシローラーによって潤滑剤を掻き取り、回転して像担持体に塗布する潤滑剤塗布装置が知られている。
【０００３】
上述した従来の潤滑剤塗布装置にあっては、画像形成装置が休止状態にあり、塗布ブラシの毛が像担持体に接触した状態で当該塗布ブラシが長時間静止していた場合、塗布ブラシの毛に倒れ癖がついてしまうという問題があった。毛に倒れ癖がついたままの塗布ブラシを使用すると、塗布ブラシの周方向で像担持体との接触条件に不均一が生じてしまい、像担持体に対して潤滑剤の均一な塗布が阻害される。これにより、画像形成装置の休止状態が終了し画像形成を行う際、ある箇所だけ画像不良が起きるバンディングが発生し、高品質な画像が得られなくなってしまう。
【０００４】
特許文献１には、像担持体を帯電する帯電ローラを摺擦する回転可能なブラシローラと、ブラシローラの周面に、ブラシローラのブラシに対して一定量侵入して配設され、ブラシローラのブラシを起毛処理する起毛ブラシ部材とを有する構成が開示されている。
【先行技術文献】
【特許文献】
【０００５】
【特許文献１】特開２００８−７０５１８号公報
【発明の概要】
【発明が解決しようとする課題】
【０００６】
しかしながら、特許文献１に記載の技術はそもそも、ブラシの耐久に伴う毛倒れを防止することを目的としたものであって、塗布ブラシの毛が感光体ドラムに接触した状態で長時間静止していたことに伴う毛倒れ部分を修復することを目的としたものではない。特許文献１に記載の技術では、耐久に伴う塗布ブラシのブラシ全体の毛倒れを防止するため、ブラシローラと起毛ブラシ部材とを接触させた状態において、ブラシローラおよび起毛ブラシ部材を互いに逆方向に回転駆動させてブラシローラのブラシを起毛させている。
【０００７】
しかし、起毛動作の際、ブラシローラの回転によって当該ブラシローラのブラシと像担持体とが摺接するため、像担持体に傷が付き像担持体の寿命が低下してしまう可能性がある。よって、上述した潤滑剤塗布装置に生じる倒れ癖の問題を解決するため、そもそも目的が異なり、新たな問題が生じる可能性のある特許文献１に記載の技術をそのまま適用することはできない。
【０００８】
本発明は、塗布ブラシの毛の毛倒れ部分を修復することが可能な画像形成装置を提供することを目的とする。
【課題を解決するための手段】
【０００９】
本発明に係る画像形成装置は、
回転する像担持体と、
潤滑剤と、
前記像担持体および前記潤滑剤に接触しながら回転し、前記潤滑剤を掻き取って前記像担持体に塗布する塗布ブラシと、
前記塗布ブラシに接触して回転する起毛部材と、
前記像担持体の回転開始前に、前記像担持体の回転停止状態で当該像担持体に接触していた前記塗布ブラシの変形部位を、当該像担持体との非接触位置に回転させ、前記起毛部材を回転させることによって当該非接触位置に移動された前記塗布ブラシの変形部位に前記起毛部材を接触させる制御部と、
を備える。
【発明の効果】
【００１０】
本発明によれば、塗布ブラシの毛の毛倒れ部分を修復することが可能な画像形成装置を提供することができる。
【図面の簡単な説明】
【００１１】
【図１】本発明に係る実施の形態を示す画像形成装置の縦断面図である。
【図２】本発明に係る実施の形態を示す画像形成装置の制御ブロック図である。
【図３】本発明に係る潤滑剤塗布装置の構成および動作を示す図である。
【図４】本発明に係る画像形成装置の温湿度環境における起毛部材の回転時間の例を示す図である。
【図５】本発明に係る画像形成装置における起毛動作例を示すフローチャートである。
【図６】本発明に係る起毛部材の構成の変形例を示す図である。
【発明を実施するための形態】
【００１２】
以下、本発明の実施の形態を図面に基づいて詳細に説明する。図１、２に示す画像形成装置１００は、電子写真プロセス技術を利用した中間転写方式のカラー画像形成装置である。すなわち、画像形成装置１００は、感光体上に形成されたＣ（シアン）、Ｍ（マゼンタ）、Ｙ（イエロー）、Ｋ（ブラック）の各色トナー像を中間転写体に転写（一次転写）し、中間転写体上で４色のトナー像を重ね合わせた後、用紙に転写（二次転写）することにより、画像を形成する。
【００１３】
また、画像形成装置１００には、ＣＭＹＫの４色に対応する感光体を中間転写体の走行方向に直列配置し、中間転写体に一回の手順で各色トナー像を順次転写させるタンデム方式が採用されている。
【００１４】
図１、２に示すように、画像形成装置１００は、画像読取部１１０、操作表示部１２０、画像処理部１３０、画像形成部１４０、搬送部１５０、定着部１６０および制御部２００を備えている。なお、図２に示す塗布ブラシ１８１、起毛部材１８２および温湿度センサー１８６の詳細については後述する。
【００１５】
制御部２００は、ＣＰＵ（Central  Processing  Unit）２０１、ＲＯＭ（Read  Only  Memory）２０２、ＲＡＭ（Random  Access  Memory）２０３等を備えている。ＣＰＵ２０１は、ＲＯＭ２０２から処理内容に応じたプログラムを読み出してＲＡＭ２０３に展開し、展開したプログラムと協働して画像形成装置１００の各ブロックの動作を集中制御する。このとき、記憶部１７２に格納されている各種データが参照される。記憶部１７２は、例えば不揮発性の半導体メモリ（いわゆるフラッシュメモリ）やハードディスクドライブで構成される。
【００１６】
制御部２００は、通信部１７１を介して、ＬＡＮ（Local  Area  Network）、ＷＡＮ（Wide  Area  Network）等の通信ネットワークに接続された外部の装置（例えばパーソナルコンピュータ）との間で各種データの送受信を行う。制御部２００は、例えば、外部の装置から送信された画像データを受信し、この画像データ（入力画像データ）に基づいて用紙に画像を形成させる。通信部１７１は、例えばＬＡＮカード等の通信制御カードで構成される。
【００１７】
画像読取部１１０は、ＡＤＦ（Auto  Document  Feeder）と称される自動原稿給紙装置１１１および原稿画像走査装置（スキャナー）１１２等を備えて構成される。
【００１８】
自動原稿給紙装置１１１は、原稿トレイに載置された原稿Ｄを搬送機構により搬送して原稿画像走査装置１１２へ送り出す。自動原稿給紙装置１１１は、原稿トレイに載置された多数枚の原稿Ｄの画像（両面を含む）を連続して一挙に読み取ることができる。
【００１９】
原稿画像走査装置１１２は、自動原稿給紙装置１１１からコンタクトガラス上に搬送された原稿またはコンタクトガラス上に載置された原稿を光学的に走査し、原稿からの反射光をＣＣＤ（Charge  Coupled  Device）センサー１１２ａの受光面上に結像させ、原稿画像を読み取る。画像読取部１１０は、原稿画像走査装置１１２による読取結果に基づいて入力画像データを生成する。この入力画像データには、画像処理部１３０において所定の画像処理が施される。
【００２０】
操作表示部１２０は、例えばタッチパネル付の液晶ディスプレイ（ＬＣＤ：Liquid  Crystal  Display）で構成され、表示部１２１および操作部１２２として機能する。表示部１２１は、制御部２００から入力される表示制御信号に従って、各種操作画面、画像の状態表示、各機能の動作状況等の表示を行う。操作部１２２は、テンキー、スタートキー等の各種操作キーを備え、ユーザーによる各種入力操作を受け付けて、操作信号を制御部２００に出力する。
【００２１】
画像処理部１３０は、入力画像データに対して、初期設定またはユーザー設定に応じたデジタル画像処理を行う回路等を備えている。例えば、画像処理部１３０は、制御部２００の制御下で、階調補正データ（階調補正テーブル）に基づいて階調補正を行う。また、画像処理部１３０は、入力画像データに対して、階調補正の他、色補正、シェーディング補正等の各種補正処理や、圧縮処理等を施す。これらの処理が施された画像データに基づいて、画像形成部１４０が制御される。
【００２２】
画像形成部１４０は、入力画像データに基づいて、Ｙ成分、Ｍ成分、Ｃ成分、Ｋ成分の各有色トナーによる画像を形成するための画像形成ユニット１４１Ｙ、１４１Ｍ、１４１Ｃ、１４１Ｋおよび中間転写ユニット１４２等を備えている。
【００２３】
Ｙ成分、Ｍ成分、Ｃ成分、Ｋ成分用の画像形成ユニット１４１Ｙ、１４１Ｍ、１４１Ｃ、１４１Ｋは、同様の構成を有する。図示および説明の便宜上、共通する構成要素は同一の符号で示し、それぞれを区別する場合には符号にＹ、Ｍ、ＣまたはＫを添えて示すこととする。図１では、Ｙ成分用の画像形成ユニット１４１Ｙの構成要素についてのみ符号が付され、その他の画像形成ユニット１４１Ｍ、１４１Ｃ、１４１Ｋの構成要素については符号が省略されている。
【００２４】
画像形成ユニット１４１の構成を画像形成ユニット１４１Ｙにより説明する。画像形成ユニット１４１Ｙは、露光装置１４１１、現像装置１４１２、感光体ドラム１４１３、帯電装置１４１４およびドラムクリーニング装置１４１５等を備えている。なお、感光体ドラム１４１３は、本発明の像担持体として機能する。
【００２５】
感光体ドラム１４１３は、例えばアルミニウム製の導電性円筒体（アルミ素管）の周面に、アンダーコート層（ＵＣＬ：Under  Coat  Layer）、電荷発生層（ＣＧＬ：Charge  Generation  Layer）、電荷輸送層（ＣＴＬ：Charge  Transport  Layer）を順次積層した負帯電型の有機感光体（ＯＰＣ：Organic  Photo-conductor）である。
【００２６】
帯電装置１４１４は、光導電性を有する感光体ドラム１４１３の表面を一様に負極性に帯電させる。露光装置１４１１は、例えば半導体レーザーで構成され、感光体ドラム１４１３に対して各色成分の画像に対応するレーザー光を照射する。感光体ドラム１４１３の電荷発生層で正電荷が発生し、電荷輸送層の表面まで輸送されることにより、感光体ドラム１４１３の表面電荷（負電荷）が中和される。感光体ドラム１４１３の表面には、周囲との電位差により各色成分の静電潜像が形成されることとなる。
【００２７】
現像装置１４１２は、各色成分の現像剤（例えば、小粒径のトナーと磁性体とからなる二成分現像剤）を収容しており、感光体ドラム１４１３の表面に各色成分のトナーを付着させることにより静電潜像を可視化してトナー像を形成する。
【００２８】
ドラムクリーニング装置１４１５は、感光体ドラム１４１３の表面に摺接されるドラムクリーニングブレードを有する。一次転写後に感光体ドラム１４１３の表面に残存する転写残トナーは、ドラムクリーニングブレードによって掻き取られ、除去される。
【００２９】
中間転写ユニット１４２は、中間転写体となる中間転写ベルト１４２１、一次転写ローラー１４２２、二次転写ローラー１４２３、駆動ローラー１４２４、従動ローラー１４２５およびベルトクリーニング装置１４２６等を備えている。
【００３０】
中間転写ベルト１４２１は無端状ベルトで構成され、駆動ローラー１４２４および従動ローラー１４２５に張架される。中間転写ベルト１４２１は、駆動ローラー１４２４の回転により矢印Ａ方向に一定速度で走行する。一次転写ローラー１４２２によって、中間転写ベルト１４２１が感光体ドラム１４１３に圧接されると、中間転写ベルト１４２１に各色トナー像が順次重ねて一次転写される。そして、中間転写ベルト１４２１が二次転写ローラー１４２３によって用紙Ｓに圧接されると、中間転写ベルト１４２１に一次転写されたトナー像が用紙Ｓに二次転写される。
【００３１】
ベルトクリーニング装置１４２６は、中間転写ベルト１４２１の表面に摺接されるベルトクリーニングブレードを有する。二次転写後に中間転写ベルト１４２１の表面に残存する転写残トナーは、ベルトクリーニングブレードによって掻き取られ、除去される。
【００３２】
定着部１６０は、搬送されてきた用紙Ｓを定着ニップ部で加熱、加圧することにより、用紙Ｓにトナー像を定着させる。定着部１６０は、定着ユニット１６１とエア分離ユニット１６２とを備えて構成されるエア分離式の定着装置である。定着ユニット１６１は、一対の定着部材を圧接することにより形成される定着ニップ部に用紙Ｓを通過させて、この用紙Ｓ上に転写されたトナー画像に熱源からの熱を与えることにより、用紙Ｓにトナー画像を定着させる。エア分離ユニット１６２は、定着ニップ部における用紙Ｓの排紙側から用紙Ｓに気体を吹き付けることにより定着部材から用紙Ｓを分離する。
【００３３】
搬送部１５０は、給紙部１５１、搬送機構１５２および排紙部１５３等を備える。給紙部１５１を構成する３つの給紙トレイユニット１５１ａ〜１５１ｃには、用紙の坪量やサイズ等に基づいて識別された用紙（規格用紙、特殊用紙）Ｓが予め設定された種類ごとに収容される。
【００３４】
給紙トレイユニット１５１ａ〜１５１ｃに収容されている用紙Ｓは、最上部から一枚ずつ送出され、レジストローラー１５２ａ等の複数の搬送ローラーを備えた搬送機構１５２により画像形成部１４０に搬送される。このとき、レジストローラー１５２ａが配設されたレジスト部により、給紙された用紙Ｓの傾きが補正されるとともに搬送タイミングが調整される。そして、画像形成部１４０において、中間転写ベルト１４２１のトナー像が用紙Ｓの一方の面に一括して二次転写され、定着部１６０において定着工程が施される。画像形成された用紙Ｓは、排紙ローラー１５３ａを備えた排紙部１５３により機外に排紙される。
【００３５】
本実施の形態では、図３（ａ）に示すように、感光体ドラム１４１３に固形の潤滑剤１８３を塗布する潤滑剤塗布装置１８０が、感光体ドラム１４１３の回転方向に対してドラムクリーニングブレード１８７の下流側に設けられている。
【００３６】
潤滑剤塗布装置１８０は、塗布ブラシ１８１、起毛部材１８２、潤滑剤１８３、押圧バネ１８４、ならし部材１８５および温湿度センサー１８６を備える。潤滑剤塗布装置１８０は、画像形成ユニット１４１Ｙ、１４１Ｍ、１４１Ｃ、１４１Ｋのそれぞれに設けられている。
【００３７】
塗布ブラシ１８１は、例えば、外径１４ｍｍの金属製のシャフトに、厚さ０．５［ｍｍ］の基布にアクリル繊維の束を高さ２．５［ｍｍ］のループ状に織り込んで植毛したものを巻き付けて構成されている。アクリル繊維の太さは３［デニール］、アクリル繊維の密度は１５０［ｋＦ／ｉｎｃｈ２］である。塗布ブラシ１８１は、塗布ブラシ１８１が感光体ドラム１４１３に約１．０［ｍｍ］食い込むように位置決めされている。塗布ブラシ１８１は、感光体ドラム１４１３の回転方向と同一方向に例えば４００［ｍｍ／秒］で回転する。塗布ブラシ１８１は、制御部２００からの制御信号によって回転駆動される。
【００３８】
潤滑剤１８３は、鉛筆硬度ＨＢ相当のステアリン酸亜鉛（ＺｎＳｔ）等の潤滑剤を固めて成形したものである。潤滑剤１８３は、図中奥行き方向に感光体ドラム１４１３の軸方向長さと同程度の長さに形成され、押圧バネ１８４によって塗布ブラシ１８１の方向に押圧されている。押圧バネ１８４の図中右端部は、図示しないハウジングに固定されている。また、押圧バネ１８４は、塗布ブラシ１８１の軸方向に、複数個がバランスよく配置されている。
【００３９】
塗布ブラシ１８１は、回転する塗布ブラシ１８１の毛で潤滑剤１８３を掻き取り、掻き取った潤滑剤１８３の微粉を感光体ドラム１４１３の表面に塗布する。ならし部材１８５は、感光体ドラム１４１３の回転方向に対して塗布ブラシ１８１の下流側に設けられるブレードである。ならし部材１８５は、塗布ブラシ１８１によって感光体ドラム１４１３の表面に塗布された潤滑剤１８３の分布を均一化する。
【００４０】
温湿度センサー１８６は、塗布ブラシ１８１とならし部材１８５との間に設けられ、潤滑剤塗布装置１８０周囲の温度および湿度を検出する。そして、温湿度センサー１８６は、検出した温度および湿度を制御部２００に出力する。
【００４１】
画像形成装置１００が休止状態にあり、塗布ブラシ１８１の毛が感光体ドラム１４１３の表面に接触した状態で塗布ブラシ１８１が長時間静止していた場合、塗布ブラシ１８１の毛に倒れ癖がついてしまう。そのため、毛に倒れ癖がついたままの塗布ブラシ１８１を使用すると、塗布ブラシ１８１の周方向で感光体ドラム１４１３との接触条件に不均一が生じてしまい、感光体ドラム１４１３に対して潤滑剤１８３の均一な塗布が阻害される。
【００４２】
これにより、画像形成装置１００の休止状態が終了し画像形成を行う際、ある箇所だけ画像不良が起きるバンディングが発生し、高品質な画像が得られなくなってしまう。そこで本実施の形態では、塗布ブラシ１８１の下方に設けた起毛部材１８２の回転によって塗布ブラシ１８１の毛を起毛させる起毛動作を行うことで改善を図っている。
【００４３】
起毛部材１８２は、例えば、外径１４［ｍｍ］の金属製のシャフトに、厚さ０．５［ｍｍ］の基布にナイロン繊維の束を高さ２．５［ｍｍ］のループ状に織り込んで植毛したものを巻き付けて構成されるローラ状のブラシである。ナイロン繊維の太さは６［デニール］、ナイロン繊維の密度は７５［ｋＦ／ｉｎｃｈ２］である。起毛部材１８２は、外周面の一部に凹部が形成されており、塗布ブラシ１８１に接触する接触部位と接触しない非接触部位とを有する。これによって、起毛部材１８２は、起毛部材１８２の回転時のみ起毛部材１８２の接触部位が塗布ブラシ１８１に約１．０［ｍｍ］食い込んだ状態で接触するように位置決めされている。起毛部材１８２は、塗布ブラシ１８１の回転方向に対してウィズ方向に例えば２００［ｍｍ／秒］で回転する。起毛部材１８２は、制御部２００からの制御信号によって回転駆動される。
【００４４】
起毛部材１８２による起毛動作は以下のように行われる。図３（ｂ）は、画像形成装置１００の休止時に、塗布ブラシ１８１および感光体ドラム１４１３が静止し、塗布ブラシ１８１の毛の一部１９０が感光体ドラム１４１３の表面に接触している状態を示す。この状態が長時間続くと、塗布ブラシ１８１の毛の一部１９０に倒れ癖がついてしまう。つまり、塗布ブラシ１８１の毛の一部１９０（変形部位）は、感光体ドラム１４１３の回転開始前に、感光体ドラム１４１３の回転停止状態で感光体ドラム１４１３に接触していた塗布ブラシ１８１の変形部位である。
【００４５】
そこで、図３（ｃ）に示すように、制御部２００は、塗布ブラシ１８１の毛の一部１９０が、感光体ドラム１４１３との非接触位置である起毛部材１８２に形成された凹部に対向する位置（すなわち起毛部材１８２の回転時に起毛部材１８２の毛の接触部位が塗布ブラシ１８１の毛の一部１９０と接触する位置）まで来るように塗布ブラシ１８１を回転させる。その後、制御部２００は、塗布ブラシ１８１の回転を停止させた状態で、塗布ブラシ１８１の回転方向に対してウィズ方向（お互いに表面が順方向に移動するような回転方向）に起毛部材１８２を回転させることによって塗布ブラシ１８１の毛の一部１９０に起毛部材１８２を接触させる。これにより、塗布ブラシ１８１の毛で倒れ癖のついた箇所を集中的に起毛させることができる。
【００４６】
本実施の形態では、制御部２００は、画像形成装置１００の温湿度環境に応じた回転時間の間、起毛部材１８２を回転させる。具体的には、制御部２００は、温湿度センサー１８６により検出された温度および湿度に基づいて起毛部材１８２の回転時間を設定する。
【００４７】
図４は、温湿度センサー１８６により検出された温度および湿度と起毛部材１８２の回転時間との関係を示す図である。図４に示すように、湿度が６５％以上で温度が１５度以上である場合、または、湿度が３０％以上６５％未満で温度が２８度以上である場合は、環境区分Ａに属し、起毛部材１８２の回転時間は２０秒に設定される。その一方、湿度が３０％未満である場合、湿度が３０％以上６５％未満で温度が２８度未満である場合、または、湿度が６５％以上で温度が１５度未満である場合は、環境区分Ｂに属し、起毛部材１８２の回転時間は１０秒に設定される。つまり、画像形成装置１００の温湿度環境が環境区分Ａである場合の方が環境区分Ｂである場合に比べて起毛部材１８２の回転時間が長いのは、環境区分Ａのように塗布ブラシ１８１が高温高湿環境下にある場合、長時間のスパンで見れば変形してゆくクリープ現象が発生して塗布ブラシ１８１の毛に倒れ癖がつきやすく、塗布ブラシ１８１の毛を起毛させるために多くの時間が必要になるからである。
【００４８】
図４に示す関係は回転時間情報として記憶部１７２に記憶されている。制御部２００は、記憶部１７２に記憶されている回転時間情報を参照し、温湿度センサー１８６により検出された温度および湿度の属する環境区分に応じた起毛部材１８２の回転時間を設定する。
【００４９】
図５は、本実施の形態における画像形成装置１００の起毛動作例を示すフローチャートである。ステップＳ１００の処理は、画像形成装置１００が電源オンにされて起動することにより開始する。
【００５０】
まず、制御部２００は、塗布ブラシ１８１の毛で感光体ドラム１４１３の表面に接触していた一部１９０が、起毛部材１８２に形成された凹部に対向する位置まで来るように塗布ブラシ１８１を回転させる（ステップＳ１００）。次に、制御部２００は、温湿度センサー１８６により検出された温度および湿度と、記憶部１７２に記憶されている回転時間情報とに基づいて、画像形成装置１００内の温湿度環境が環境区分Ａに属するか否かについて判定する（ステップＳ１２０）。
【００５１】
もし、画像形成装置１００内の温湿度環境が環境区分Ａに属すると制御部２００にて判定された場合（ステップＳ１２０にてＹＥＳ）、制御部２００は、塗布ブラシ１８１の回転を停止させた状態で、塗布ブラシ１８１の回転方向に対してウィズ方向に起毛部材１８２を２０秒回転させることによって塗布ブラシ１８１の毛の一部１９０に起毛部材１８２を接触させる（ステップＳ１４０）。その後、処理はステップＳ１８０に遷移する。
【００５２】
一方、画像形成装置１００内の温湿度環境が環境区分Ａに属しない（すなわち環境区分Ｂに属する）と判定された場合（ステップＳ１２０にてＮＯ）、制御部２００は、塗布ブラシ１８１の回転方向に対してウィズ方向に起毛部材１８２を１０秒回転させることによって塗布ブラシ１８１の毛の一部１９０に起毛部材１８２を接触させる（ステップＳ１６０）。その後、処理はステップＳ１８０に遷移する。
【００５３】
ステップＳ１８０では、制御部２００は、画像形成指示があったか否かについて判定する。例えば、制御部２００は、画像形成指示操作に対応する操作信号が操作部１２２から出力された否かを確認することにより、画像形成指示があったか否かについて判定する。もし、画像形成指示がないと制御部２００にて判定された場合（ステップＳ１８０にてＮＯ）、処理はステップＳ２２０に遷移する。一方、画像形成指示があったと制御部２００にて判定された場合（ステップＳ１８０にてＹＥＳ）、制御部２００は、当該画像形成指示に対応する画像形成動作を行うように画像形成部１４０を制御する（ステップＳ２００）。その後、処理はステップＳ２２０に遷移する。
【００５４】
ステップＳ２２０では、制御部２００は、画像形成装置１００の休止時間が所定時間（例えば、５時間）以上に達したか否かについて判定する。もし、休止時間が所定時間以上に達していないと制御部２００にて判定された場合（ステップＳ２２０にてＮＯ）、処理はステップＳ１８０に遷移する。一方、休止時間が所定時間以上に達したと判定された場合（ステップＳ２２０にてＹＥＳ）、処理はステップＳ１００に遷移する。
【００５５】
以上詳しく説明したように、本実施の形態では、回転する感光体ドラム１４１３と、潤滑剤１８３と、感光体ドラム１４１３および潤滑剤１８３に接触しながら回転し潤滑剤１８３を掻き取って感光体ドラム１４１３に塗布する塗布ブラシ１８１と、塗布ブラシ１８１に接触して回転する起毛部材１８２と、感光体ドラム１４１３の回転開始前に、感光体ドラム１４１３の回転停止状態で感光体ドラム１４１３に接触していた塗布ブラシ１８１の毛の一部１９０を、感光体ドラム１４１３との非接触位置に移動させ、起毛部材１８２を回転させることによって当該非接触位置に移動された塗布ブラシ１８１の毛の一部１９０に起毛部材１８２を接触させる制御部２００とを備える。
【００５６】
このように構成した本実施の形態によれば、画像形成装置１００の長時間の休止により塗布ブラシ１８１の毛の一部１９０に倒れ癖がついた、起毛部材１８２の回転によって当該一部１９０のみが集中的に起毛される。これにより、効率的に、塗布ブラシ１８１の毛の毛倒れ部分を修復することができ、感光体ドラム１４１３に対して潤滑剤１８３を均一に塗布することができる。さらに、起毛部材１８２の回転時に、塗布ブラシ１８１の回転は停止した状態であるため、塗布ブラシ１８１の毛と感光体ドラム１４１３の表面とが摺接して感光体ドラム１４１３に傷が付いてしてしまうことを防止できる。
【００５７】
また、本実施の形態では、起毛部材１８２の形状は、起毛部材１８２の外周面の一部に凹部を形成することにより、塗布ブラシ１８１に接触する接触部位と接触しない非接触部位とを有する形状である。これにより、起毛部材１８２による起毛動作を行っていない場合、起毛部材１８２の毛と塗布ブラシ１８１の毛との接触を回避し、塗布ブラシ１８１の毛の一部に不必要な倒れ癖がついてしまうことを防止することができる。
【００５８】
なお、上記実施の形態では、画像形成装置１００の休止時間が所定時間以上に達した場合に起毛動作を行う例について説明したが、本発明はこれに限定されない。例えば、画像形成装置１００の休止時間に関係なく、画像形成動作の直前に必ず起毛動作を行うようにしても良い。
【００５９】
また、上記実施の形態では、画像形成装置１００の温湿度環境に応じた回転時間の間、起毛部材１８２を回転させる例について説明したが、本発明はこれに限定されない。例えば、画像形成装置１００の温湿度環境に応じた線速度で所定時間の間、起毛部材１８２を回転させるようにしても良い。具体的には、画像形成装置１００の温湿度環境が高温高湿環境であればあるほど、塗布ブラシ１８１の毛に倒れ癖がつきやすく、高温高湿環境でないときよりも速い線速度で起毛部材１８２を回転させるのが望ましい。
【００６０】
また、上記実施の形態において、画像形成装置１００の休止時間に応じた回転時間の間、起毛部材１８２を回転させるようにしても良い。具体的には、画像形成装置１００の休止時間が長いほど塗布ブラシ１８１の毛に倒れ癖がつきやすいため、休止時間が長いほど、長い回転時間の間、起毛部材１８２を回転させるのが望ましい。また、画像形成装置１００の休止時間に応じた線速度、すなわち休止時間が長いほど速い線速度で所定時間の間、起毛部材１８２を回転させても良い。
【００６１】
また、上記実施の形態では、起毛部材１８２を回転させている間、塗布ブラシ１８１の回転を停止する例について説明したが、本発明はこれに限定されない。例えば、塗布ブラシ１８１を非常に遅い線速度、すなわち塗布ブラシ１８１の毛と感光体ドラム１４１３とが摺接しても感光体ドラム１４１３に傷が付かない程度の線速度で回転させながら、起毛部材１８２を回転させても良い。
【００６２】
また、上記実施の形態では、起毛部材１８２はローラ状のブラシで形成されている例について説明したが、本発明はこれに限定されない。例えば、図６（ａ）に示すように、起毛部材１８２は、必ずしもブラシを備える必要はない。また、図６（ｂ）に示すように、起毛部材１８２は、ブラシを備えず、例えばアルミまたは鉄等の金属ローラであっても良い。また、図６（ｃ）に示すように、起毛部材１８２は、例えば回転軸となる管の周囲に所定間隔で羽部を配置した羽部材であっても良い。
【００６３】
また、起毛部材１８２による起毛動作を行っていない場合、起毛部材１８２と塗布ブラシ１８１の毛とが接触して塗布ブラシ１８１の毛の一部に倒れ癖が不必要につくのを避けるため、図６（ｂ）、（ｃ）に示す起毛部材１８２を塗布ブラシ１８１から矢印Ａ方向に離間させる機構を新たに設けても良い。ただし、離間機構を設けることによって潤滑剤塗布装置１８０の構成が複雑化してしまうため、上記実施の形態のように、起毛部材１８２の形状を、当該起毛部材１８２が回転する場合にのみ塗布ブラシ１８１に接触する形状にすることで対応するのが望ましい。
【００６４】
また、上記実施の形態では、起毛部材１８２の形状は、起毛部材１８２の外周面の一部に凹部を形成することにより、塗布ブラシ１８１に接触する接触部位と接触しない非接触部位とを有する形状である例について説明したが、本発明はこれに限定されない。例えば、図６（ｄ）に示すように、起毛部材１８２の形状を楕円形状にすることにより、起毛部材１８２が、塗布ブラシ１８１に接触する接触部位１８２ａと接触しない非接触部位１８２ｂとを有するようにしても良い。この場合、制御部２００は、起毛部材１８２が回転する場合にのみ接触部位１８２ａが塗布ブラシ１８１に接触するように起毛部材１８２の回転位置を制御する。
【００６５】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００６６】
１００  画像形成装置
１８１  塗布ブラシ
１８２  起毛部材
１８３  潤滑剤
１８６  温湿度センサー
２００  制御部
１４１３  感光体ドラム
【図１】
2013182255.tif 000003
【図２】
2013182255.tif 000004
【図３】
2013182255.tif 000005
【図４】
2013182255.tif 000006
【図５】
2013182255.tif 000007
【図６】
2013182255.tif 000008